(57)【要約】      （修正有）【課題】設置場所に凹穴を掘削することなく、地表面に直接設置することが可能な括り罠方式の動物捕獲装置を提供する。【解決手段】本体部３０と、ワイヤ体２０と、付勢部材４２と、付勢状態保持手段と、ストッパ３６と、ストッパ解除手段３７を有する。本体部３０は、開口部を有する支持部３２と、開口部周縁から起立する方向に回動する回動ガイド体３４に装着する。付勢部材４２は、リング部２４を縮径させ、回動ガイド体３４を付勢する。ストッパ３６は、リング部２４と回動ガイド体３４の動作を規制し、規制状態はストッパ解除手段３７により解除される。【選択図】図７
0003161292.tif 000002
【実用新案登録請求の範囲】
【請求項１】
動物を捕獲するための動物捕獲装置であって、
上面に開口部が形成された支持部と、前記支持部の開口部周縁位置に配設され、当該開口部周縁位置から前記支持部に対して起立する方向に回動可能な回動ガイド体と、を有する本体部と、
先端部が縮径可能なリング部に形成され、当該リング部を前記開口部および前記回動ガイド体の外周面に沿って装着されるワイヤ体と、
前記開口部および前記回動ガイド体の外周面に沿って装着された前記リング部を縮径させようとする状態、および、前記回動ガイド体を前記支持部に対して起立方向に回動しようとする状態に付勢する付勢部材と、
前記付勢部材を付勢状態に保持するための付勢状態保持手段と、
前記付勢部材による前記リング部の縮径動作および前記回動ガイド体の回動動作をそれぞれ規制するストッパと、
前記本体部の内側空間に配設され、前記本体部の内側空間に動物の肢体が進入したことを検知し、前記ストッパによる規制状態を解除するストッパ解除手段と、
を有していることを特徴とする動物捕獲装置。
【請求項２】
前記リング部は、前記開口部の外周面への装着高さ位置に対して、前記回動ガイド体の外周面への装着高さ位置が上方位置となるように装着されていることを特徴とする請求項１記載の動物捕獲装置。
【請求項３】
前記回動ガイド体の外周面には前記リング部を装着する凹状部が形成されていることを特徴とする請求項１または２記載の動物捕獲装置。
【請求項４】
前記回動ガイド体の外周面には、前記ワイヤ体に作用させた付勢力により前記回動ガイド体が前記支持部に対して起立する方向へ回動する際に、前記回動ガイド体が所要回動位置に到達するまでの間、前記リング部との係止状態を維持させるための突状体が配設されていることを特徴とする請求項１〜３のうちのいずれか一項に記載の動物捕獲装置。
【請求項５】
前記支持部の上面には、前記回動ガイド体とは反対側位置にガイド舌片が取り付けられていて、当該ガイド舌片は、前記支持部への取り付け部平面位置に対してガイド舌片の先端部位置が前記支持部の内側位置となるように傾斜していることを特徴とする請求項１〜４のうちのいずれか一項に記載の動物捕獲装置。
【請求項６】
前記ストッパ解除手段は、前記本体部の内側空間の複数個所に係止されていて、互いのストッパ解除手段どうしを任意の位置で交差させるための係合部が配設されていることを特徴とする請求項１〜５のうちのいずれか一項に記載の動物捕獲装置。
【請求項７】
前記支持部と前記回動ガイド体の上面には、前記支持部と前記回動ガイド体に装着された前記リング部の開口部幅寸法を縮小させることが可能なリング部係止用切欠部がそれぞれ形成されていることを特徴とする請求項１〜６のうちのいずれか一項に記載の動物捕獲装置。
【考案の詳細な説明】
【技術分野】
【０００１】
本考案は、動物捕獲装置に関する。
【背景技術】
【０００２】
先端部分が縮径可能なリング部に形成されたワイヤ体をセット具に装着したいわゆる括り罠と呼ばれる動物捕獲装置が知られている。このような括り罠としては、例えば特許文献１や特許文献２で開示されているようなものがある。
【先行技術文献】
【特許文献】
【０００３】
【特許文献１】特許第３１０１９０５号公報
【特許文献２】特許第３４９５９５８号公報
【考案の概要】
【考案が解決しようとする課題】
【０００４】
特許文献１および特許文献２で提案されている括り罠は、所要の場所に凹穴を掘削してから括り罠を設置する必要があり、括り罠の設置に労力がかかるという課題がある。また、凹穴を掘削することにより、括り罠設置場所の周囲に土が散乱し、括り罠を設置した場所の状態が周辺状態と相違してしまい、捕獲対象動物に感づかれてしまうというおそれもある。
【０００５】
そこで本願考案は、設置場所に凹穴を掘削することなく、地表面に直接設置することが可能な括り罠方式の動物捕獲装置の提供を目的としている。
【課題を解決するための手段】
【０００６】
上記課題を解決するために本考案者は鋭意研究を行った結果、以下の構成に想到した。
すなわち、動物を捕獲するための動物捕獲装置であって、上面に開口部が形成された支持部と、前記支持部の開口部周縁位置に配設され、当該開口部周縁位置から前記支持部に対して起立する方向に回動可能な回動ガイド体と、を有する本体部と、先端部が縮径可能なリング部に形成され、当該リング部を前記開口部および前記回動ガイド体の外周面に沿って装着されるワイヤ体と、前記開口部および前記回動ガイド体の外周面に沿って装着された前記リング部を縮径させようとする状態、および、前記回動ガイド体を前記支持部に対して起立方向に回動しようとする状態に付勢する付勢部材と、前記付勢部材を付勢状態に保持するための付勢状態保持手段と、前記付勢部材による前記リング部の縮径動作および前記回動ガイド体の回動動作をそれぞれ規制するストッパと、前記本体部の内側空間に配設され、前記本体部の内側空間に動物の肢体が進入したことを検知し、前記ストッパによる規制状態を解除するストッパ解除手段と、を有していることを特徴とする動物捕獲装置である。
【考案の効果】
【０００７】
本考案にかかる動物捕獲装置によれば、括り罠となる縮径可能なリング部が形成されたワイヤ体を装着するための本体部を有しているので、動物捕獲装置の設置位置に凹穴を掘削する必要がなく、動物捕獲装置の設置労力を大幅に軽減することができる。
また、動物捕獲装置を設置するための凹穴の掘削が不要であるため、動物捕獲装置の設置場所に掘削土が散乱することがなく、動物捕獲装置の設置場所とその周辺環境とを同化させることができる。これにより、動物捕獲装置の存在を捕獲対象動物に感づかれてしまう可能性を軽減させることができる。
【図面の簡単な説明】
【０００８】
【図１】本実施形態における動物捕獲装置の斜視図である。
【図２】図１中の本体部の拡大図である。
【図３】本体部の別角度からの拡大図である。
【図４】本体部の突状体とストッパの装着部分を示す拡大図である。
【図５】本体部のガイド舌片部分近傍を示す拡大図である。
【図６】付勢状態保持手段を示す拡大図である。
【図７】動物捕獲装置の作動状態を示す斜視図である。
【図８】動物捕獲装置の作動状態を示す斜視図である。
【図９】動物捕獲装置の作動状態を示す斜視図である。
【図１０】本願考案にかかる動物捕獲装置の他の実施形態例を示す本体部の斜視図である。
【図１１】図１０の本体部にリング部を装着した状態を示す斜視図である。
【考案を実施するための最良の形態】
【０００９】
以下、本考案にかかる動物捕獲装置１０の実施形態について図面に基づいて説明する。図１は、本実施形態における動物捕獲装置の斜視図である。図２は、図１中の本体部の拡大図である。本実施形態における動物捕獲装置１０は、図に示すように、捕獲対象動物の肢体を拘束するために一端部が縮径可能なリング部２４を有するワイヤ体２０と、ワイヤ体２０のリング部２４が装着される支持部３２および回動ガイド体３４からなる本体部３０と、本体部３０に装着したリング部２４を縮径させるための付勢力を付与する付勢部４０を有している。
なお、捕獲対象の動物の例として、猪、鹿、熊等の野生動物を挙げることができる。
【００１０】
ワイヤ体２０について図１および図２を参照して説明する。
ワイヤ体２０の一端部には環状部２２が形成されている。本実施形態における環状部２２は、ワイヤ体２０の一端部を折り返して環状部分を形成した後、かしめ部材２１を用いて先端部分をワイヤ体２０の本体部分にかしめることにより形成されている。このような環状部２２にワイヤ体２０の他端部を挿通させることでワイヤ体２０の一端部にリング部２４を形成することができる。
本実施形態においては、図１に示すように２本のワイヤ材２０Ａ、２０Ｂを連結部材２３により連結することでワイヤ体２０を構成しているが、ワイヤ体２０はいわゆる一本物のワイヤ材で構成してもよいし、３本以上のワイヤ材を連結部材２３により連結することもできる。いずれの形態であっても、リング部２４が形成された側の端部と反対側の端部には、ワイヤ体２０を樹木等に係留させるためのシャックル等からなる係留具２６が取り付けられている。
【００１１】
本体部３０について図２〜図５を参照して説明する。
図２は、図１中の本体部の拡大図である。図３は、本体部の別角度からの拡大図である。図４は、本体部の突状体とストッパの装着部分を示す拡大図である。図５は、本体部のガイド舌片部分近傍を示す拡大図である。
本体部３０は、上面に開口部を有する短円筒状に形成された支持部３２と、支持部３２の開口部の外周縁（外郭）に沿って所要範囲にわたって形成され、支持部３２の開口部位置から支持部３２に対して起立する方向に回動する回動ガイド体３４とを有している。回動ガイド体３４は、円弧状に形成されていて、回動ガイド体３４の両端部３４Ａ，３４Ｂが支持部３２の内壁面部分でネジ３５により支持部３２に対してネジ部３５を回動の中心にして回動可能に取り付けられている。
【００１２】
回動ガイド体３４の外周面には、外周面に沿って回動ガイド体３４の外周面側から径方向内側に向かって湾曲する凹状部３４Ｃと、回動ガイド体３４の外周面から径方向外側に突出する突状体３４Ｄが設けられている。凹状部３４Ｃと突状体３４Ｄは、回動ガイド体３４に巻回させるリング部２４の位置決めを行うことができる。これにより、支持部３２の外周面に沿って巻回されているリング部２４の高さ位置に対して、回動ガイド体３４の凹状部３４Ｃに沿って巻回されているリング部２４の高さ位置の方を上側に位置することができる（図２）。リング部２４をこのような状態で支持部３２と回動ガイド体３４の外周面に巻回させることにより、回動ガイド体３４が支持部３２開口部位置から支持部３２に対して起立させ易くすることができる。
また、凹状部３４Ｃは、本体部３０の外周面にリング部２４を巻回させて装着した後に、後述する付勢部４０による付勢力を回動ガイド体３４に作用させやすくするためのものでもある。
突状体３４Ｄは凹状部３４Ｃに巻回されたリング部２４の上側位置に配設されている。突状体３４Ｄは、回動ガイド体３４へのリング部２４巻回位置を位置決めすると共に、リング部２４に作用させた付勢部４０による付勢力によってリング部２４が縮径しようとする際に、回動ガイド体３４の回動位置が所要回動位置に到達するまでの間、回動ガイド体３４との係止状態を維持させるためのものでもある。この所要回動位置については後述する。
【００１３】
図２〜図５に示すように、本体部３０には付勢部４０により付与された付勢力に抗してリング部２４の縮径動作と回動ガイド体３４の回動動作をそれぞれ規制するためのストッパ３６と、本体部３０の内部空間に動物の肢体が進入したことを検知し、ストッパ３６による規制状態を解除するストッパ解除手段である紐３７が配設されている。また、ストッパ３６による規制状態が解除された際に、本体部３０からリング部２４が離脱する方向を誘導するためのガイド舌片３２Ａが配設されている。ガイド舌片３２Ａと、突状体３４Ｄは、本体部３０における平面位置が互いに反対側となる配置になっている。
【００１４】
ストッパ３６は、支持部３２の側壁面の中途位置で側壁面を貫通し、支持部３２の側壁面に沿って上方に延伸した後、回動ガイド体３４の上端面位置で回動ガイド体３４の径方向外側に向かって屈曲するフック状に形成されている。ストッパ３６は支持部３２の上端面位置から支持部３２の内側空間に向かってストッパ３６の先端部が回動可能な状態で支持部３２の側壁に取り付けられている。支持部３２の内壁面には複数個所に紐３７が係止されていて、本体部３０の内部空間は紐３７が張り巡らされている。紐３７どうしが交差する部分には選択的に係合部である樹脂管３８が配設されている。樹脂管３８は紐３７どうしを交差させたい任意の位置に配設することができる。また、本体部３０（支持部３２）の直径部分には、一端部がストッパ３６に、他端部が支持部３２の内壁面にそれぞれ係止されたワイヤ３７Ａが張設されていて、ストッパ解除手段の一部として用いられる。
ガイド舌片３２Ａは、支持部３２への配設部の平面位置に対してガイド舌片３２Ａの先端部位置（上端部位置）の方が支持部３２（本体部３０）の内側位置となるように傾斜した状態で配設されている（図５）。
【００１５】
支持部３２の内部空間に張り巡らされた紐３７およびワイヤ３７Ａは、端部または中途部がストッパ３６に係止されているので、動物の肢体が本体部３０内に進入して紐３７またはワイヤ３７Ａを下方に押し下げると、ストッパ３６が回動して、支持部３２に対する回動ガイド体３４の規制状態(係止状態)が解除される。これによりリング部２４を介して回動ガイド体３４に作用している付勢部４０からの付勢力により、回動ガイド体３４は支持部３２の上面から支持部３２に対して起立する方向に回動する。このとき、回動ガイド体３４は、凹状部３４Ｃと突状体３４Ｄによりリング部２４との係止状態が可及的に維持されることになる。これによりリング部２４に作用している付勢力が回動ガイド体３４に効率的に付与され、回動ガイド体３４の回動動作が促進される。
【００１６】
支持部３２および回動ガイド体３４の外周面に巻回された状態で本体部３０に装着されていたリング部２４は、回動ガイド体３４が動物の肢体位置まで回動するか、リング部２４が縮径することで支持部３２に巻回されていた部分がガイド舌片３２Ａの先端から離脱するか（本実施形態においてはこれらのいずれかの状態となる回動位置を所要回動位置としている）によって、リング部２４と支持部３２および回動ガイド体３４とが離反する。
支持部３２および回動ガイド体３４に装着されていたリング部２４は、環状部２０側がガイド舌片３２Ａに沿って、環状部２０と反対側は回動ガイド体３４の回動動作によって、それぞれが支持部３２および回動ガイド体３４（本体部３０）の平面中央部分の上方位置に向かった状態で離脱し、動物の肢体を胴体側位置で括りやすくすることができ好都合である。
【００１７】
付勢部４０について説明する。図５は、本体部のガイド舌片部分近傍を示す拡大図である。
図６は、付勢状態保持手段を示す拡大図である。
本実施形態における付勢部４０は、図１、図５、図６に示すように、ワイヤ体２０の長さ方向において所要範囲にわたって配設された付勢部材としてのつるまきバネ４２と、つるまきバネ４２を両端部から圧縮するためのキャップ部材４４Ａ，４４Ｂと、キャップ部材４４Ａ，４４Ｂとの間に配設された筒体４６と、付勢状態保持手段である締結部材４８とを有している。
【００１８】
つるまきバネ４２は、つるまきバネ４２の内側空間にワイヤ体２０を挿通させることでワイヤ体２０に沿って配設されている。つるまきバネ４２の長さ寸法は、回動ガイド体３４を所要速度で回動させるための付勢力が得られれば任意の長さ寸法を採用することができる。つるまきバネ４２とワイヤ体２０の環状部２２との間、および、つるまきバネ４２の他端部位置にはそれぞれキャップ部材４４Ａ，４４Ｂが配設されている。つるまきバネ４２の両端部はキャップ部材４４Ａ，４４Ｂの内部空間に収容され、隔壁部４４ＡＺ、４４ＢＺに当接している。ワイヤ体２０は隔壁部４４ＡＺ，４４ＢＺに形成された挿通孔部分に挿通されており、キャップ部材４４Ａ，４４Ｂはワイヤ体２０の延長方向に沿ってスライド自在である。
【００１９】
キャップ部材４４Ａ，４４Ｂの間に配設された筒体４６は、その内部空間につるまきバネ２０を挿通させている。筒体４６はつるまきバネ４２を圧縮する際にキャップ部材４４Ｂをスライドさせると共に、つるまきバネ４２の付勢力に抗する反力を得るための保持部でもあり、図６に示すようにネジ止めによりキャップ体４４Ｂと一体に組み立てられている。筒体４６は、本考案にかかる動物捕獲装置１０の必須構成ではないため省略することも可能である。
締結部材４８は、ワイヤ体２０を挿通させる筒状の挿通体４８Ａと挿通体４８Ａの外周面に形成され、ワイヤ体２０に向かって挿通体４８Ａの外周面を板厚方向に貫通する貫通孔に装着されたネジ体４８Ｂとを有している。
このような締結部材４８により、つるまきバネ４２を圧縮した状態でネジ体４８Ｂを締め付ければ、ネジ体４８Ｂの先端部がワイヤ体２０の外周面に当接し、つるまきバネ４２の圧縮状態（付勢状態）を保持することができる。
【００２０】
次に、本実施形態で説明した動物捕獲装置１０の使用方法について説明する。
まず、捕獲対象動物の通り道の部分に、ワイヤ体２０（リング部２４）が仮装着された本体部３０をセットする。回動ガイド体３４はストッパ３６により支持部３２に係止された状態にしておく。本体部３０を落ち葉等により覆って本体部３０を隠す。必要に応じて本体部３０の上面開口部の形状に合わせて切り取られたダンボール板（図示せず）を配設すれば、紐３７の隙間に捕獲対象動物の肢体が進入することによる動作不良等が防止できるため好都合である。
【００２１】
次に、付勢部４０により支持部３２および回動ガイド体３４（本体部３０）の外周面に装着したリング部２４に、リング部２４を縮径する方向および回動ガイド体３４が支持部３２から起立する方向へ回動する動作を契機付けするための付勢力を付与する。具体的にはキャップ部材４４Ｂと筒体４６を本体部３０側にスライドさせて、つるまきバネ４２とキャップ部材４４Ａをリング部２４（環状部２２）に当接させる。さらにキャップ部材４４Ｂと筒体４６を本体部３０向けてスライドさせて、キャップ部材４４Ａ，４４Ｂとの間でつるまきバネ４２を圧縮することにより付勢力を得ることができる。使用者はつるまきバネ４２を充分に圧縮した後にネジ部４８Ｂを締め付けてネジ部４８Ｂの先端部をワイヤ体２０の外表面に押圧させ、挿通体４８Ａと共にワイヤ体２０を挟持することでつるまきバネ４２の圧縮状態（付勢状態）を保持する。これによりリング部２４は、リング部２４を縮径させるための付勢力と、回動ガイド体３４を支持部３２開口部位置から起立方向に回動させるための付勢力がそれぞれ付与された状態に維持される。
最後に、ワイヤ体２０の他端部に取り付けられた係留具２６によりワイヤ体２０の他端部を図示しない樹木等に係留する。ワイヤ体２０および付勢部４０もまた、落ち葉等により被覆して隠せば、動物捕獲装置１０の配設が完了する。
【００２２】
次に、動物捕獲装置の動作について説明する。図７、図８、図９は動物捕獲装置の作動状態を示す斜視図である。
捕獲対象動物（ここでは猪を想定している）が動物捕獲装置１０の配設位置を通過する際、猪の脚１００（肢体）が本体部３０の内部空間に進入すると、猪の脚１００が本体部３０内に張り巡らされている紐３７またはワイヤ３７Ａを踏みつけ、紐３７またはワイヤ３７Ａが下方に撓む。これにより回動ガイド体３４を支持部３２に係止していたストッパ３６が本体部３０の内側空間側に回動し、支持部３２と回動ガイド体３４との係止状態が解除される。すなわち、図７に示すように回動ガイド体３４は回動ガイド体３４の外周面に巻回されたリング部２４に作用している付勢力により支持部３２上面開口部位置から支持部３２に起立する方向に回動する。
【００２３】
このとき突状体３４Ｄに係止された状態のリング部２４は、回動ガイド体３４と共に支持部３２の上端部から離反し、支持部３２に対して起立する方向に共回りする。すなわち、リング部２４は突状体３４Ｄに係止されている部分が本体部３０の開口部の平面中央位置にガイドされることになる。これに対してリング部２４支持部３２側に巻回されている環状部２２側部分は、付勢力によりリング部２４が縮径することによりガイド舌片３２Ａに沿って本体部３０の平面中央位置側に向かって支持部３２から離反し、猪の脚１００の胴体側に接近する。支持部３２に巻回されていたリング部２４がガイド舌片３２Ａから離反したことを契機にして、図８に示すようにリング部２４は突状体３４Ｄとの係止状態が解除され、突状体３４Ｄとの係止部分も回動ガイド体３４から離反して猪の脚１００の胴体側に向かって接近する。最終的にリング部２４は図９に示すように、猪の脚１００の胴体側部分に絡みつき、猪を捕獲することができる。このようにして捕獲された猪はワイヤ体２０の長さ範囲で移動することはできるが、リング部２４により蹄１０２より上側部分の脚１００が括られた状態になっているため逃げ出すことはできない。猪や鹿等の有蹄類や熊は肢体の先端部分は、胴体側よりも先端部分の方が太い（幅広である）ためである。
【００２４】
図１０、図１１は、本考案にかかる動物捕獲装置１０の他の実施形態の一例を示すものである。
図１０に示す本体部３０は、支持部３２と回動ガイド体３４の上面にそれぞれリング部係止用切欠部３２Ｚ、３４Ｚが形成されている点が特徴的である。このようなリング部係止用切欠部３２Ｚ，３４Ｚは、リング部２４を本体部３０の外周面に装着する際に、本体部３０の外周面全体に巻回させることなく、本体部３０の外周面の一部をショートカットした状態で本体部３０に装着するために用いることができる。このようなリング部係止用切欠部３２Ｚ，３４Ｚを支持部３２および回動ガイド体３４に形成することにより、図１１に示すように、本体部３０へ装着したリング部２４の開口寸法を縮小した状態にすることができる。このように本体部３０にリング部係止用切欠部３２Ｚ，３４Ｚを形成することにより、本体部３０へのリング部２４の装着状態を適宜変更することができる。これにより、鳥獣の保護及び狩猟の適正化に関する法律（狩猟法）により定められている特定狩猟期間においては、捕獲部分であるリング部２４の開口幅寸法の規定を遵守した寸法で動物捕獲装置１０を設置することができる。これにより特定狩猟期間のみに使用する動物捕獲装置１０を別途準備する必要がなく好都合である。
【００２５】
以上に本願考案を実施形態に基づいて詳細に説明したが、本願考案の技術的範囲は以上の実施形態に限定されるものではない。例えば、本実施形態においては、本体部３０の形状を円筒状に形成しているが、本体部３０の平面視形状は円形に限定されるものではなく、矩形状に形成したものであってもよい。
また、回動ガイド体３４は、支持部３２の開口部外周縁に沿って配設され、配設位置から支持部３２に対して起立する方向に回動可能な形態を例示しているが、これに限定されるものではない。具体的には、設置面側にベース部を形成した開口部を有する支持部３２とし、ベース部に回動ガイド体３４を設置し、設置位置から支持部３２に対して回動可能な構成を採用してもよい。この構成によれば、回動ガイド体３４は支持部３２の開口部よりも外方位置に配設されることになる。また、これとは反対に、回動ガイド体３４が支持部３２の開口部の内側位置となるように配設することももちろん可能である。
【００２６】
また、ワイヤ体２０の一端部にかしめ部材２１を用いて環状部２２を形成しているが、かしめ部材２１に代えてシャックルをワイヤ体２０の一端部に連結してこれを環状部２２として用いることも可能である。
さらには、図１０および図１１には、回動ガイド体３４に突状体３４Ｄおよびストッパ解除手段である紐３７が交差する部分に紐３７，３７どうしを係合する係合部である樹脂管３８を配設した動物捕獲装置１０の形態を開示しているが、図１０および図１１に示す動物捕獲装置１０からは突状体３４Ｄおよび樹脂管３８の配設をそれぞれ省略することももちろん可能である。
【符号の説明】
【００２７】
１０  動物捕獲装置
２０  ワイヤ体
２２  環状部
２４  リング部
３０  本体部
３２  支持部
３２Ａ  ガイド舌片
３２Ｚ，３４Ｚ  リング部係止用切欠部
３４  回動ガイド体
３４Ｃ  凹状部
３４Ｄ  突状体
３６  ストッパ
３７  紐
３８  樹脂管
４０  付勢部
４２  つるまきバネ
４４Ａ，４４Ｂ  キャップ部材
４６  筒体
４８  締結部材
４８Ａ  挿通体
４８Ｂ  ネジ部
１００  脚
１０２  蹄
【図１】
0003161292.tif 000003
【図２】
0003161292.tif 000004
【図３】
0003161292.tif 000005
【図４】
0003161292.tif 000006
【図５】
0003161292.tif 000007
【図６】
0003161292.tif 000008
【図７】
0003161292.tif 000009
【図８】
0003161292.tif 000010
【図９】
0003161292.tif 000011
【図１０】
0003161292.tif 000012
【図１１】
0003161292.tif 000013
【手続補正書】
【提出日】平成22年5月25日(2010.5.25)
【手続補正１】
【補正対象書類名】実用新案登録請求の範囲
【補正対象項目名】請求項１
【補正方法】変更
【補正の内容】
【請求項１】
動物を捕獲するための動物捕獲装置であって、
上面に開口部が形成された支持部と、前記支持部の開口部周縁位置に配設され、当該開口部周縁位置から前記支持部に対して起立する方向に回動可能な回動ガイド体と、を有する本体部と、
先端部が縮径可能なリング部に形成され、当該リング部を前記開口部および前記回動ガイド体の外周面に沿って装着されるワイヤ体と、
前記開口部および前記回動ガイド体の外周面に沿って装着された前記リング部を縮径させようとする状態、および、前記回動ガイド体を前記支持部に対して起立方向に回動しようとする状態に付勢する付勢部材と、
前記付勢部材を付勢状態に保持するための付勢状態保持手段と、
前記付勢部材による前記リング部の縮径動作および前記回動ガイド体の回動動作をそれぞれ規制するストッパと、
前記本体部の内側空間に張り巡らされ、端部または中途部が前記ストッパに係止された紐が、動物の肢体により踏みつけられることにより前記ストッパを回動させて、該ストッパによる規制状態を解除するストッパ解除手段と、
を有していることを特徴とする動物捕獲装置。
【手続補正２】
【補正対象書類名】明細書
【補正対象項目名】０００６
【補正方法】変更
【補正の内容】
【０００６】
上記課題を解決するために本考案者は鋭意研究を行った結果、以下の構成に想到した。
すなわち、動物を捕獲するための動物捕獲装置であって、上面に開口部が形成された支持部と、前記支持部の開口部周縁位置に配設され、当該開口部周縁位置から前記支持部に対して起立する方向に回動可能な回動ガイド体と、を有する本体部と、先端部が縮径可能なリング部に形成され、当該リング部を前記開口部および前記回動ガイド体の外周面に沿って装着されるワイヤ体と、前記開口部および前記回動ガイド体の外周面に沿って装着された前記リング部を縮径させようとする状態、および、前記回動ガイド体を前記支持部に対して起立方向に回動しようとする状態に付勢する付勢部材と、前記付勢部材を付勢状態に保持するための付勢状態保持手段と、前記付勢部材による前記リング部の縮径動作および前記回動ガイド体の回動動作をそれぞれ規制するストッパと、前記本体部の内側空間に張り巡らされ、端部または中途部が前記ストッパに係止された紐が、動物の肢体により踏みつけられることにより前記ストッパを回動させて、該ストッパによる規制状態を解除するストッパ解除手段と、を有していることを特徴とする動物捕獲装置である。